(57)【要約】【課題】  容器の底に沈殿したパーティクルが巻き込まれることを防止し、純度の高い液体材料を供給することを可能とすること。【解決手段】  所定量の液体材料が充填される充填容器と、充填容器内の気層を加圧する加圧用ガスが導入される加圧用ガス導入配管と、充填容器内の液体材料を外部へ供給する配管Ｌａと、を備え、配管Ｌａは、下端が充填容器内の液体材料の液層内に浸され、上端が閉塞する配管Ｌ１と、配管Ｌ１の上端にその一部が挿入されて接続され、配管Ｌ１の内径よりも外径が小さい配管Ｌ２を有し、充填容器内に加圧用ガス導入配管を介して加圧用ガスを導入することにより、配管Ｌａを介して液体材料を供給することを可能とする液体材料容器。【選択図】  図１
2011025104.tif 000002
【特許請求の範囲】
【請求項１】
所定量の液体材料が充填される充填容器と、
前記充填容器内の気層を加圧する加圧用ガスが導入される加圧用ガス導入配管と、
前記充填容器内の液体材料を外部へ供給する配管Ｌａと
を備え、
前記配管Ｌａは、下端が前記充填容器内の液体材料の液層内に浸され、上端が閉塞する配管Ｌ１と、前記配管Ｌ１の上端にその一部が挿入されて接続され、前記配管Ｌ１の内径よりも外径が小さい配管Ｌ２を有し、
前記充填容器内に前記加圧用ガス導入配管を介して加圧用ガスを導入することにより、前記配管Ｌａを介して液体材料を供給することを可能とすることを特徴とする液体材料容器。
【請求項２】
前記配管Ｌ２の前記配管Ｌ１への挿入量が、前記配管Ｌ１の長さの５〜１０％であることを特徴とする請求項１に記載の液体材料容器。
【請求項３】
前記配管Ｌ１の下端から前記充填容器の底までの距離は、前記配管Ｌ１の下端での液体材料の流速が、前記配管Ｌ１内を通過する液体材料の流速よりも遅くなるように設計されていることを特徴とする請求項１又は２に記載の液体材料容器。
【請求項４】
少なくとも制御部を備え、請求項１〜３のいずれか１に記載の液体材料容器から液体材料を供給する液体材料供給装置であって、
前記液体材料容器は、さらに、前記加圧用ガス導入配管から分岐し、前記配管Ｌ２の下端よりも上側において、前記配管Ｌ１に接続された配管Ｌｂと、前記配管Ｌｂ上に設けられた開閉弁Ｖaと、前記配管Ｌａの上端に設けられた継手部とを備えており、
前記制御部は、常時には、前記開閉弁Ｖaを閉状態とし、前記継手部からの液体材料の漏洩が発生した場合には、前記開閉弁Ｖaを開状態にして、前記配管Ｌ１内の気圧と前記容器内の圧力を等圧にし、前記配管Ｌ１内の液面を降下させることを特徴とする液体材料供給装置。
【請求項５】
所定量の液体材料が充填される充填容器と、前記充填容器内の気層を加圧する加圧用ガスが導入される加圧用ガス導入配管と、下端が前記充填容器内の液体材料の液層内に浸され、上端が閉塞する配管Ｌ１、及び、前記配管Ｌ１の内径よりも外径が小さく、前記配管Ｌ１の上端からその一部が挿入されて接続された配管Ｌ２を有する配管Ｌａと、前記加圧用ガス導入配管から分岐し、前記配管Ｌ２の下端よりも上側において、前記配管Ｌ１に接続された配管Ｌｂと、前記加圧用ガス導入配管と前記配管Ｌｂの間に設けられた開閉弁Ｖaと、前記配管Ｌａの上端に設けられた継手部とを備えた液体材料容器からの液体材料の供給方法であって、
常時には、前記開閉弁Ｖaを閉状態とした状態で前記充填容器内を加圧し、前記継手部を介して液体材料を供給し、前記継手部からの液体材料の漏洩が発生した場合には、前記開閉弁Ｖaを開状態にして、前記配管Ｌ１内の気圧と前記容器内の圧力を等圧にし、前記配管Ｌ２内の液面を降下させることを特徴とする液体材料の供給方法。
【発明の詳細な説明】
【技術分野】
【０００１】
本発明は、製膜装置等の消費施設へ液体材料を供給するための液体材料容器、液体材料供給装置、及び、液体材料の供給方法に関する。
【背景技術】
【０００２】
従来、半導体製造プロセス等の製造プロセスにおいては、例えば、イソプロピルアルコール、フッ酸、ジエチルシラン等、各種の液体材料が供給される。液体材料を供給する液体材料供給装置としては、容器に充填された液体材料に浸るように液体材料供給用の配管が設置されるとともに、容器の上方に加圧用ガス供給用の配管が設置されており、加圧用ガス供給用の配管から容器内に加圧用ガスを導入することにより、液体材料を圧送により供給する液体材料供給装置が挙げられる（例えば、特許文献１及び２参照）。
【０００３】
図４は、従来の液体材料供給装置を模式的に示す概略図である。
図４に示すように、液体材料供給装置１００は、容器１０１と、容器１０１に充填された液体材料１０２に浸るように設置された液体材料供給用の配管１０３と、容器１０１の上方に設置された加圧用ガス供給用の配管１０４とを備えており、配管１０４から容器１０１内に加圧用ガスを導入することにより液面が加圧され、液体材料１０２が配管１０３を介してＣＶＤ装置等の消費設備１０５に供給される。
【先行技術文献】
【特許文献】
【０００４】
【特許文献１】特開２００４−３４４７５８号公報
【特許文献２】特開平８−３２６９９５号公報
【発明の概要】
【発明が解決しようとする課題】
【０００５】
しかしながら、上述したような従来の液体材料供給装置においては、液体材料供給用の配管１３が容器１０１の底近傍まで延設されているため、容器１０１の底に沈殿した不純物（パーティクル）が、液体材料とともに配管１０３に巻き込まれ易くなっており、パーティクルの含まれた液体材料が供給されてしまうおそれがあった。
【０００６】
特に、供給対象の液体材料が、自己反応性・分解性の高い液体材料である場合、極微量の水分や空気成分と反応し、液体材料中に固形の不純物（パーティクル）が多量に発生してしまうおそれがあり、液体材料の純度が低下してしまうおそれがあった。
【０００７】
本発明は、上述した課題に鑑みてなされたものであり、その目的は、容器の底に沈殿したパーティクルが巻き込まれることを防止し、純度の高い液体材料を供給することを可能とすることにある。
【課題を解決するための手段】
【０００８】
以上のような目的を達成するために、本発明は、以下のようなものを提供する。
（１）  所定量の液体材料が充填される充填容器と、
上記充填容器内の気層を加圧する加圧用ガスが導入される加圧用ガス導入配管と、
上記充填容器内の液体材料を外部へ供給する配管Ｌａと
を備え、
上記配管Ｌａは、下端が上記充填容器内の液体材料の液層内に浸され、上端が閉塞する配管Ｌ１と、上記配管Ｌ１の上端にその一部が挿入されて接続され、上記配管Ｌ１の内径よりも外径が小さい配管Ｌ２を有し、
上記充填容器内に上記加圧用ガス導入配管を介して加圧用ガスを導入することにより、上記配管Ｌａを介して液体材料を供給することを可能とすることを特徴とする液体材料容器。
【０００９】
（１）の発明によれば、充填容器内の液体材料を外部へ供給する配管Ｌａが、下端が上記充填容器内の液体材料の液層内に浸され、上端が閉塞する配管Ｌ１と、上記配管Ｌ１の上端にその一部が挿入されて接続され、上記配管Ｌ１の内径よりも外径が小さい配管Ｌ２を有している。従って、配管Ｌａを介して液体材料を外部へ供給する場合、配管Ｌ１内を通過する液体材料の流速は、配管Ｌ２内を通過する液体材料の流速よりも、緩やかとなる。その結果、配管Ｌａ（配管Ｌ１）の下端を容器の底近傍まで延設しても、容器の底に沈殿したパーティクルが配管Ｌａに巻き込まれることを防止することができ、純度の高い液体材料を供給することが可能となる。
【００１０】
また、配管Ｌ１内を通過する液体材料の流速は、配管Ｌ２内を通過する液体材料の流速よりも、緩やかとなるため、時間当たりの供給量を多くした場合であっても、容器の底近傍での配管Ｌ１内の液体材料の流速を抑えることが可能となる。
【００１１】
さらに、液体材料の供給開始時には、配管Ｌａ内の液面が配管Ｌ２の下端よりも上側まで到達すると、配管Ｌａ内上側の空間が加圧され、この空間を有した状態で、液体材料が配管Ｌ２から供給されることとなる。その結果、この空間がクッションとなり、供給開始時のウォーターハンマーを抑制することができ、開閉弁、継手、その他の部材（例えば、圧力計）が破損することを低減することができる。
【００１２】
さらに、本発明は、以下のようなものを提供する。
（２）  上記（１）の液体材料容器であって、
上記配管Ｌ２の上記配管Ｌ１への挿入量が、上記配管Ｌ１の長さの５〜１０％であることを特徴とする。
【００１３】
（２）の発明によれば、充填容器内の液体材料よりも比重の小さい、充填容器の上部に溜まったパーティクルが巻き込まれることをより確実に防止することができるとともに、充填容器内の液体材料よりも比重の大きい、充填容器の下部に溜まったパーティクルが巻き込まれることをより確実に防止することができる。
【００１４】
さらに、本発明は、以下のようなものを提供する。
（３）  上記（１）又は（２）の液体材料容器であって、
上記配管Ｌ１の下端から上記充填容器の底までの距離は、上記配管Ｌ１の下端での液体材料の流速が、上記配管Ｌ１内を通過する液体材料の流速よりも遅くなるように設計されていることを特徴とする。
【００１５】
配管Ｌ１の内径を大きくしたとしても、配管Ｌ１の下端から充填容器の底までの距離が近いと、配管Ｌ１の下端での液体材料の流速は速くなることとなる。しかしながら、（３）の発明よれば、配管Ｌ１の下端での液体材料の流速が、配管Ｌ１内を通過する液体材料の流速よりも遅くなるように、配管Ｌ１の下端から充填容器の底までの距離が設計されているため、充填容器の底に沈殿したパーティクルが配管Ｌ１に巻き込まれることをさらに確実に防止することができる。
【００１６】
さらに、本発明は、以下のようなものを提供する。
（４）  上記（１）〜（３）のいずれか１に記載の液体材料容器から液体材料を供給する液体材料供給装置であって、
上記液体材料容器は、さらに、上記加圧用ガス導入配管から分岐し、上記配管Ｌ２の下端よりも上側において、上記配管Ｌ１に接続された配管Ｌｂと、上記配管Ｌｂ上に設けられた開閉弁Ｖaと、上記配管Ｌａの上端に設けられた継手部とを備えており、
上記制御部は、常時には、上記開閉弁Ｖaを閉状態とし、上記継手部からの液体材料の漏洩が発生した場合には、上記開閉弁Ｖaを開状態にして、上記配管Ｌ１内の気圧と上記容器内の圧力を等圧にし、上記配管Ｌ１内の液面を降下させることを特徴とする。
【００１７】
継手部を介して液体材料を外部に供給している際に、継手部からの液体材料の漏洩が発生した場合、充填容器内の圧力が大気圧と同圧となるまで液体材料が漏洩し続けるおそれがあった。しかしながら、（４）の発明によれば、継手部を介して液体材料を外部に供給している際に、継手部からの液体材料の漏洩が発生した場合、開閉弁Ｖaを開状態にすると、開閉弁Ｖa、及び、配管Ｌｂを介して充填容器内の加圧用ガスが配管Ｌ１内に流れ込む。その結果、配管Ｌ１内の気圧と充填容器内の圧力をなるべく瞬時に等圧にすることができ、液体材料の漏洩量を最小限とすることができる。特に、液体材料が引火性、酸化性、禁水性等を有する危険物である場合、漏洩を最小限に食い止めることにより、爆発や火災等の重大な災害が発生する可能性を著しく低減することが可能となる。
【００１８】
さらに、本発明は、以下のようなものを提供する。
（５）  所定量の液体材料が充填される充填容器と、上記充填容器内の気層を加圧する加圧用ガスが導入される加圧用ガス導入配管と、下端が上記充填容器内の液体材料の液層内に浸され、上端が閉塞する配管Ｌ１、及び、上記配管Ｌ１の内径よりも外径が小さく、上記配管Ｌ１の上端からその一部が挿入されて接続された配管Ｌ２を有する配管Ｌａと、上記加圧用ガス導入配管から分岐し、上記配管Ｌ２の下端よりも上側において、上記配管Ｌ１に接続された配管Ｌｂと、上記加圧用ガス導入配管と上記配管Ｌｂの間に設けられた開閉弁Ｖaと、上記配管Ｌａの上端に設けられた継手部とを備えた液体材料容器からの液体材料の供給方法であって、
常時には、上記開閉弁Ｖaを閉状態とした状態で上記充填容器内を加圧し、上記継手部を介して液体材料を供給し、上記供給時に、上記継手部からの液体材料の漏洩が発生した場合には、上記開閉弁Ｖaを開状態にして、上記配管Ｌ１内の気圧と上記容器内の圧力を等圧にし、上記配管Ｌ１内の液面を降下させることを特徴とする。
【００１９】
（５）の発明によれば、継手部を介して液体材料を外部に供給している際に、継手部からの液体材料の漏洩が発生した場合、開閉弁Ｖaを開状態にすると、開閉弁Ｖa、及び、配管Ｌｂを介して容器内の加圧用ガスが配管Ｌ１内に流れ込む。その結果、配管Ｌ１内の気圧と容器内の圧力をなるべく瞬時に等圧にすることができ、液体材料の漏洩量を最小限とすることができる。特に、液体材料が引火性、酸化性、禁水性等を有する危険物である場合、漏洩を最小限に食い止めることにより、爆発や火災等の重大な災害が発生する可能性を著しく低減することが可能となる。
【発明の効果】
【００２０】
本発明によれば、容器の底に沈殿したパーティクルが巻き込まれることを防止し、純度の高い液体材料を供給することが可能となる。
【図面の簡単な説明】
【００２１】
【図１】本実施形態に係る液体材料供給装置の基本的な構成を模式的に示す概略図である。
【図２】図１に示した液体材料供給装置の使用状態を示す図である。
【図３】図１に示した液体材料供給装置の使用状態を示す図である。
【図４】従来の液体材料供給装置を模式的に示す概略図である。
【発明を実施するための形態】
【００２２】
以下、本発明の実施形態について、図面を参照しながら説明する。
図１は、本実施形態に係る液体材料供給装置の基本的な構成を模式的に示す概略図である。
本実施形態に係る液体材料供給装置１０が備える液体材料容器１２は、所定量の液体材料が充填される充填容器１と、充填容器１内の気層１ｂを加圧する加圧用ガスが導入される加圧用ガス導入配管Ｌ３（以下、「配管Ｌ３」ともいう）と、充填容器１内の液体材料を外部へ供給する配管Ｌａと、加圧用ガス導入配管Ｌ３から分岐し、配管Ｌａに接続されたバイパス配管Ｌｂ（以下、「配管Ｌｂ」ともいう）と、配管Ｌｂにおける加圧用ガス導入配管Ｌ３側の一端に設けられた開閉弁Ｖaと、配管Ｌａの上端に設けられた継手部５と、継手部５近傍に設けられたセンサ６とを備える。配管Ｌａは、下端が充填容器１内の液体材料の液層１ａ内に浸され上端が閉塞する配管Ｌ１と、配管Ｌ１の上端にその一部が挿入され、且つ、配管Ｌ１の内径よりも外径が小さい配管Ｌ２とから構成されている。バイパス配管Ｌｂは、配管Ｌ２の下端よりも上側において配管Ｌ１に接続されている。また、液体材料供給装置１０は、制御部（図示せず）を備えており、開閉弁の作動やセンサの動作等を制御する。
【００２３】
図２、及び、図３は、図１に示した液体材料供給装置の使用状態を示す図である。なお、図２、及び、図３では、開状態にある開閉弁を黒色、閉状態にある開閉弁を白色で示している。
【００２４】
液体供給時には、まず、継手部５に液体材料供給配管Ｌ４（以下、「配管Ｌ４」ともいう）を、開閉弁Ｖ３を介して接続する。なお、液体材料供給配管Ｌ４の他端には、ＣＶＤ装置等の消費設備４が接続されており、液体材料供給配管Ｌ４には、さらに、その途中に開閉弁Ｖ４が設けられており、開閉弁Ｖ３とＶ４との間には、圧力センサＰが設けられている。
【００２５】
次に、制御部による制御により、開閉弁Ｖ１，Ｖ２, Ｖ３，Ｖ４を開状態、開閉弁Ｖａを閉状態とし、配管Ｌ３を介して充填容器１内に加圧用ガスを導入する。そうすると、加圧用ガスは、充填容器１の気層１ｂに蓄積され、気層１ｂが液体材料の液層１ａを加圧し、押し下げる（図２参照）。
【００２６】
ここで、配管Ｌａは、下端が充填容器１内の液体材料の液層１ａ内に浸され、上端が閉塞する配管Ｌ１と、配管Ｌ１の上端にその一部が挿入されて接続され、配管Ｌ１の内径よりも外径が小さい配管Ｌ２とから構成されている。従って、配管Ｌａ内の液面１ｃが配管Ｌ２よりの下端よりも上側まで到達すると、配管Ｌａ内上側の空間１ｄが加圧され、空間１ｄを有した状態で、液体材料が配管Ｌ２から、継手部５、開閉弁Ｖ３，Ｖ４を介して消費設備４に供給される。
このように、空間１ｄを有した状態で液体材料が供給されるため、この空間１ｄがクッションとなり、液体材料供給開始時のウォーターハンマーを抑制することができ、開閉弁、継手、その他の部材（例えば、圧力計）が破損することを低減することができる。
【００２７】
配管Ｌ１の下端は、充填容器１の底近傍まで延設されている。配管Ｌ１の下端が、充填容器１の底近傍まで延設されているため、充填容器１内の液体材料の残量が少なくなっても、消費設備４への供給を継続することが可能となる。また、配管Ｌ２の外径は、配管Ｌ１の内径よりも小さいため、配管Ｌ１内を移動する液体材料の流速は、配管Ｌ２内を移動する液体材料の流速よりも、緩やかとなる。その結果、配管Ｌ１の下端を容器の底近傍まで延設しても、充填容器１の底に沈殿したパーティクルが配管Ｌａに巻き込まれることを防止することができ、純度の高い液体材料を供給することが可能となる。また、配管Ｌ１内を通過する液体材料の流速は、配管Ｌ２内を通過する液体材料の流速よりも、緩やかとなるため、時間当たりの供給量を多くした場合であっても、容器の底近傍での配管Ｌ１内の液体材料の流速を抑えることが可能となる。
【００２８】
配管Ｌ１の下端から充填容器１の底までの距離は、配管Ｌ１の下端での液体材料の流速が、配管Ｌ１内を通過する液体材料の流速よりも遅くなるように設計されていることが好ましい。配管Ｌ１の内径を大きくしたとしても、配管Ｌ１の下端から充填容器の底までの距離が近いと、配管Ｌ１の下端での液体材料の流速は速くなることとなるが、上記構成とすれば、充填容器１の底に沈殿したパーティクルが配管Ｌ１に巻き込まれることをさらに確実に防止することができるからである。上記構成は、例えば、液体材料の流れる方向に対する液体材料の通過面積の大小により規定することができ、（配管Ｌ１内部における液体材料の通過面積）＜（配管Ｌ１の下端への液体材料の流入面積）を満たす構成を挙げることができる。具体的には、配管Ｌ１の内径（配管Ｌ１の内側の直径）をＤとし、配管Ｌ１の下端から充填容器１の底までの距離をＨとすると、下記式（Ａ）を満たす構成を挙げることができる。
式（Ａ）：（（１／２×Ｄ）２×π）＜（Ｄ×π×Ｈ）
【００２９】
配管Ｌ１の内径と配管Ｌ２の内径との比率は、配管Ｌ２の内径が配管Ｌ１の内径よりも小さければ、特に限定されないが、（配管Ｌ１の内径）／（配管Ｌ２の内径）が、２以上であることが好ましく、５以上であることがより好ましい。すなわち、配管Ｌ１内の液体材料の流速と配管Ｌ２内の液体材料の流速との比、（配管Ｌ１内の流速）／（配管Ｌ２内の流速）が、１／４以下であることが好ましく、１／２５以下であることがより好ましい。
【００３０】
このように、本実施形態に係る液体材料容器１２よれば、充填容器１の底に沈殿したパーティクルが配管Ｌａに巻き込まれることを防止することができる程度に、配管Ｌ１内を移動する液体材料の流速を緩やかとしつつ、時間当たりの供給量を充分に確保することが可能となる。
【００３１】
次に、液体材料の供給時に、継手部５における接続の不具合等の理由で、継手部５から液体材料の漏洩が発生した場合について説明する。
【００３２】
液体材料の供給時に接続の不具合等の理由で、継手部５から液体材料の漏洩が発生し、センサ６がこれを検知すると、制御部の制御により開閉弁Ｖ１，Ｖ２, Ｖ３，Ｖ４を閉状態とし、その後、開閉弁Ｖａを開状態とする（図３参照）。これにより、充填容器１内の加圧用ガスが開閉弁Ｖa、及び、配管Ｌｂを介して配管Ｌ１内に流れ込み、配管Ｌ１内の気圧と充填容器１内の圧力とが等圧となる。その結果、配管Ｌ１内の液面１ｃが降下し、多くても配管Ｌ２内の液体材料のみが漏洩する程度にとどめることができる。
【００３３】
本発明におけるセンサとしては、液体材料の漏洩を検知できるものであれば特に限定されず、液体材料の性質に合わせて、適宜、漏洩センサ、煙センサ、熱検知器、赤外線センサ等を採用することができる。なお、本発明におけるセンサの設置位置は、液体材料、及び、検知方法に応じて適宜に設定すればよい。
【００３４】
なお、図示しないが、液体材料供給装置１０には、作業者等が操作することが可能な操作部（例えば、ボタンやレバー）が備えられており、この操作部が操作されたことを条件として、開閉弁Ｖ１，Ｖ２, Ｖ３，Ｖ４が閉状態、開閉弁Ｖａが開状態へと制御部により制御される。これにより、センサ６による検知がなくとも、液体材料が漏洩したと作業者が判断した時点で、漏洩を最小限に食い止めることが可能となる。
【００３５】
配管Ｌ２は、配管Ｌ１の上端からその一部が挿入されて接続されている。挿入量としては、配管Ｌ１の長さの５〜１０％が好ましい。この範囲内であれば、充填容器１内の液体材料よりも比重の小さい、充填容器１の上部に溜まったパーティクルが巻き込まれることをより確実に防止することができるとともに、充填容器１内の液体材料よりも比重の大きい、充填容器１の下部に溜まったパーティクルが巻き込まれることをより確実に防止することができるからである。
【００３６】
このように、本実施形態に係る液体材料供給装置１０及び液体材料の供給方法によれば、開閉弁Ｖ１，Ｖ２, Ｖ３，Ｖ４を閉状態とし、その後、開閉弁Ｖａを開状態とすることにより、配管Ｌ１内の気圧と充填容器１内の圧力とをなるべく瞬時に等圧にすることができ、液体材料の漏洩量を最小限とすることができる。
【００３７】
充填容器１の輸送時には、配管Ｌａの上側（継手部側）から加圧用ガスが微加圧で充填される。これにより、配管Ｌａ内の液面１ｃを微加圧することができ、輸送時に大きな振動等があった場合であっても、継手部５から液体材料が漏洩しにくくすることができる。
【００３８】
本発明における液体材料としては、特に限定されないが、例えば、半導体製造プロセスなどにおいて用いられている、エチルアルコール、イソプロピルアルコール、フッ酸、リン酸等の処理用液体材料や、モノシラン、ジエチルシラン，ジエチル亜鉛、四塩化チタン等に代表される半導体デバイス用液体材料等の各種の液体材料を挙げることができる。
【００３９】
本発明における加圧用ガスとしては、特に限定されないが、液体材料に対する反応性や溶解性がなく、入手が容易で操作し易いガスが好ましい。具体的には、例えば、窒素やアルゴンなどの不活性ガスを挙げることができる。
【００４０】
本発明における充填容器としては、特に限定されないが、消費設備４に供給するに十分な液体材料を充填できる内容量を有し、上記液体材料の成分によって耐蝕性や堅牢性などを有する材質等で構成されていることが好ましい。
【００４１】
上述した実施形態では、配管Ｌａが配管Ｌ１と、配管Ｌ１よりも内径が小さい配管Ｌ２とから構成されているとともに、バイパス配管Ｌｂを備える構成である場合について説明した。このような構成の場合、液体材料供給時のパーティクル巻き込み防止機能、液体材料供給開始時のウォーターハンマー防止機能、及び、継手部からの液体材料の漏洩が発生した場合の液体材料漏洩防止機能を有する。しかしながら、液体材料供給時のパーティクル巻き込み防止機能、及び、液体材料供給開始時のウォーターハンマー防止機能さえ有すればよい場合には、バイパス配管Ｌｂ、及び、開閉弁Ｖaを備えない構成としてもよい。
【００４２】
本発明における、配管Ｌｂ上に設けられている、とは、配管Ｌｂの端に設けられている場合を含む。従って、配管Ｌｂの加圧用ガス導入配管Ｌ３側の一端に設けられている本実施形態における開閉弁Ｖaは、本発明の、配管Ｌｂ上に設けられている開閉弁Ｖaに相当する。本実施形態では、開閉弁Ｖaが配管Ｌｂにおける加圧用ガス導入配管Ｌ３側の一端に設けられている場合について説明したが、本発明においては、配管Ｌｂ上であれば、どの位置に設けられていてもよい。
【符号の説明】
【００４３】
１  充填容器  
１ａ  液層
１ｂ  気層
１ｃ  液面
１ｄ  空間
５  継手部
６  センサ
１０  液体材料供給装置
１２  液体材料容器
Ｌａ、Ｌｂ、Ｌ１、Ｌ２、Ｌ３、Ｌ４、  配管
Ｖａ、Ｖ１、Ｖ２、Ｖ３、Ｖ４  開閉弁
Ｐ  圧力センサ
【図１】
2011025104.tif 000003
【図２】
2011025104.tif 000004
【図３】
2011025104.tif 000005
【図４】
2011025104.tif 000006